(57)【要約】      （修正有）【課題】一旦接続したコネクタが引き抜かれた場合に、コネクタを接続不能にするコネクタを提供する。【解決手段】コネクタが、プラグコンタクト２０が設けられたコネクタ本体部と、ハウジング本体１０と、このハウジング本体１０内に収納された破断コンタクト４０と、を有する分離ユニットが設けられたソケットとを備えている。破断コンタクト４０が、本体部４１と、端子部４２と、本体部４１と端子部４２とを分離する破断部４６とを有している。【選択図】図５
2016058281.tif 000002
【特許請求の範囲】
【請求項１】
雄コンタクトが設けられた第１コネクタ部と、
前記雄コンタクトが挿入されるハウジングと、このハウジング内に収納されたコンタクト部と、を有する雌コンタクトが設けられた第２コネクタ部と
を備え、
前記コンタクト部が、
前記雄コンタクトが前記ハウジングに挿入された場合に、前記雄コンタクトと接触する本体部と、
前記ハウジングに固定された端子部と、
前記本体部と前記端子部との接触部分に設けられ、前記ハウジングに挿入されていた前記雄コンタクトを前記ハウジングから引き抜いた場合に、前記本体部と前記端子部とが接触しないように、前記本体部と前記端子部とを分離する分離部と
を有していることを特徴とするコネクタ。
【請求項２】
前記雌コンタクトが、前記コンタクト部の本体部を付勢するように前記ハウジング内に収納されたガイドブロックを有しており、
前記本体部が、前記ハウジングに挿入されていた前記雄コンタクトを前記ハウジングから引き抜いた場合に、前記雄コンタクトと共に移動するよう構成され、
前記ガイドブロックが、前記本体部の移動により形成された前記本体部と前記端子部との間の空間に、移動可能に配置されていることを特徴とする、請求項１に記載のコネクタ。
【請求項３】
前記ガイドブロックが、前記本体部を挿入可能なガイド溝を有しており、
前記ハウジングに挿入されていた前記雄コンタクトを前記ハウジングから引き抜いた後、前記雄コンタクトを前記ハウジングに再挿入する場合に、前記雄コンタクトと共に移動した前記本体部が、前記ガイド溝に挿入されるように、配置されていることを特徴とする、請求項２に記載のコネクタ。
【請求項４】
前記ガイド溝が、前記本体部の挿入方向に沿って湾曲していることを特徴とする、請求項３に記載のコネクタ。
【請求項５】
前記雄コンタクトが、突出部を有し、
前記本体部が、前記突出部に嵌合可能な嵌合溝を有しており、
前記雄コンタクトが前記ハウジングに挿入されるときに、前記突出部と前記嵌合溝とが嵌合され、前記本体部の移動が、前記突出部と前記嵌合溝との嵌合によって行われることを特徴とする、請求項２から４のいずれか１項に記載のコネクタ。
【請求項６】
前記ハウジングが、前記突出部を前記嵌合溝に嵌合するまでの間に、前記突出部の形状に応じて弾性変形した前記本体部を受け入れる第１逃部を有していることを特徴とする、請求項５に記載のコネクタ。
【請求項７】
前記ハウジングが、
挿入されていた前記雄コンタクトが引き抜かれ、前記本体部が前記雄コンタクトと共に移動する場合に、前記突出部と前記嵌合溝との嵌合を外す方向に前記本体部を弾性変形させる案内部と、
前記案内部によって弾性変形した前記本体部を受け入れる第２逃部と
を有していることを特徴とする、請求項５または６に記載のコネクタ。
【請求項８】
前記ハウジングに挿入されていた前記雄コンタクトを前記ハウジングから引き抜いた後、前記雄コンタクトを前記ハウジングに再挿入した場合に、前記本体部と前記端子部とが分離される前の初期位置よりも前記端子部側への前記本体部の移動を規制する位置規制部を備えることを特徴とする、請求項５から７のいずれか１項に記載のコネクタ。
【請求項９】
前記ハウジングに挿入されていた前記雄コンタクトを前記ハウジングから引き抜いた場合に、前記本体部と前記端子部とが接触しないように、前記端子部を塑性変形させる変形突起を前記ハウジングに設けたことを特徴とする請求項１に記載のコネクタ。
【発明の詳細な説明】
【技術分野】
【０００１】
本発明は、コネクタに関する。
【背景技術】
【０００２】
従来、コネクタとしては、特許文献１に記載されたものがある。このコネクタは、コネクタ本体部と、コネクタ本体部を基板に固定するための固定部とを備えている。そして、コネクタ本体部の固定部との接触部分に脆弱部を設けて、所定の方法以外でコネクタ本体部を固定部から引き離した場合に、コネクタを破壊して、コネクタとしての機能を失わせている。
【先行技術文献】
【特許文献】
【０００３】
【特許文献１】特開２０１３−１８７１４４号公報
【発明の概要】
【発明が解決しようとする課題】
【０００４】
しかしながら、前記従来のコネクタでは、所定の方法を用いれば、コネクタを破壊することなく、コネクタ本体部と固定部とを引き離すことができる。このため、例えば、接続されているコネクタ本体部と固定部とを引き離し、正規のコネクタ本体部に代えて、非正規のコネクタ本体部を固定部に接続するという不正行為を防ぐことができなかった。
【０００５】
そこで、本発明は、前記問題点に鑑み、一旦接続したコネクタが引き抜かれると、接続不能となるコネクタを提供することを目的とする。
【課題を解決するための手段】
【０００６】
本発明に係るコネクタは、前記課題を解決すべく、雄コンタクトが設けられた第１コネクタ部と、前記雄コンタクトが挿入されるハウジングと、このハウジング内に収納されたコンタクト部と、を有する雌コンタクトが設けられた第２コネクタ部とを備え、前記コンタクト部が、前記雄コンタクトが前記ハウジングに挿入された場合に、前記雄コンタクトと接触する本体部と、前記ハウジングに固定された端子部と、前記本体部と前記端子部との接触部分に設けられ、前記ハウジングに挿入されていた前記雄コンタクトを前記ハウジングから引き抜いた場合に、前記本体部と前記端子部とが接触しないように、前記本体部と前記端子部とを分離する分離部とを有していることを特徴としている。
【発明の効果】
【０００７】
本発明のコネクタによれば、ハウジングに挿入されていた雄コンタクトをハウジングから引き抜いた場合に、雌コンタクトのコンタクト部が、分離部において、本体部と端子部とに分離される。このため、一旦挿入された雄コンタクトがハウジングから引き抜かれた場合、再度雄コンタクトをハウジングに挿入したとしても、もはや本体部と端子部とが接触することがなく、コネクタを接続不能にすることができる。
【図面の簡単な説明】
【０００８】
【図１】本発明の第１実施形態のコネクタの一例を示す斜視図である。
【図２】図１のコネクタの断面図である。
【図３】図１のコネクタの分離ユニットを示す斜視図である。
【図４】図３の分離ユニットを図３とは異なる方向から見た斜視図である。
【図５】図３の分離ユニットの分解斜視図である。
【図６】図３の分離ユニットを図５とは異なる方向から見た分解斜視図である。
【図７】図３の分離ユニットの動作を説明するための断面斜視図である。
【図８】図７に続く、図３の分離ユニットの動作を説明するための断面斜視図である。
【図９】図８の分離ユニットの動作状態を示す断面図である。
【図１０】図８に続く、図３の分離ユニットの動作を説明するための断面斜視図である。
【図１１】図１０に続く、図３の分離ユニットの動作を説明するための断面斜視図である。
【図１２】図１１に続く、図３の分離ユニットの動作を説明するための断面斜視図である。
【図１３】図１２の分離ユニット内部の動作状態を示す部分断面図である。
【図１４】本発明の第２実施形態のコネクタの分離ユニットの一例を示す斜視図である。
【図１５】図１４の分離ユニットを図１４とは異なる方向から見た斜視図である。
【図１６】図１４の分離ユニットの動作を説明するための斜視図である。
【図１７】図１６に続く、図１４の分離ユニットの動作を説明するための断面図である。
【図１８】図１７に続く、図１４の分離ユニットの動作を説明するための平面図である。
【図１９】図１８に続く、図１４の分離ユニットの動作を説明するための平面図である。
【図２０】本発明の第３実施形態のコネクタの分離ユニットの一例を示す斜視図である。
【図２１】図２０の分離ユニットを図２０とは異なる方向から見た斜視図である。
【図２２】図２０の分離ユニットの動作を説明するための平面図である。
【図２３】図２２に続く、図２０の分離ユニットの動作を説明するための平面図である。
【図２４】図２３に続く、図２０の分離ユニットの動作を説明するための断面図である。
【図２５】図２４に続く、図２０の分離ユニットの動作を説明するための拡大斜視図である。
【図２６】本発明の第４実施形態のコネクタの分離ユニットの一例を示す斜視図である。
【図２７】図２６の分離ユニットを図２６とは異なる方向から見た斜視図である。
【図２８】図２６の分離ユニットの動作を説明するための斜視図である。
【図２９】図２８に続く、図２６の分離ユニットの動作を説明するための断面図である。
【図３０】図２９に続く図２６の分離ユニットの動作を説明するための斜視図である。
【図３１】図３０に続く、図２６の分離ユニットの動作を説明するための部分断面斜視図である。
【図３２】図３１に続く、図２６の分離ユニットの動作を説明するための斜視図である。
【図３３】本発明の第５実施形態のコネクタの分離ユニットの一例を示す斜視図である。
【図３４】図３３の分離ユニットを図３３とは異なる方向から見た斜視図である。
【図３５】図３３の分離ユニットの動作を説明するための平面図である。
【図３６】図３５に続く、図３３の分離ユニットの動作を説明するための平面図である。
【図３７】図３６の分離ユニット内部の動作状態を示す部分断面図である。
【図３８】図３６に続く、図３３の分離ユニットの動作を説明するための平面図である。
【図３９】図３８の分離ユニット内部の動作状態を示す部分断面図である。
【図４０】図３８に続く、図３３の分離ユニットの動作を説明するための平面図である。
【図４１】図４０の分離ユニット内部の動作状態を示す部分断面図である。
【発明を実施するための形態】
【０００９】
（第１実施形態）
［構成］
本発明の第１実施形態のコネクタは、図１，図２に示すように、第１コネクタ部の一例としてのコネクタ本体部２と、コネクタ本体部２を基板４に固定するための第２コネクタ部の一例としてのソケット３とを備えている。コネクタ本体部２には、複数のプラグコンタクト２０が設けられている。また、ソケット３には、複数のプラグコンタクト２０を挿入するための複数の導通部５と、分離ユニット１と、が設けられている。なお、プラグコンタクト２０は雄コンタクトの一例であり、分離ユニット１は雌コンタクトの一例である。
【００１０】
以下、第１実施形態のコネクタの分離ユニット１を、図３ないし図１３を用いて説明する。
【００１１】
分離ユニット１は、図３〜図６に示すように、プラグコンタクト２０を挿入するハウジング本体１０と、ハウジング本体１０内に収納された分離機構３０および破断コンタクト４０と、ハウジング本体１０を覆うハウジングカバー５０と、を備えている。ハウジング本体１０とハウジングカバー５０とでハウジングを構成している。また、破断コンタクト４０はコンタクト部の一例である。この分離ユニット１は、平面視において、ハウジング本体１０の短手方向の中心を通る直線Ｌ（図３に示す）に対して対称な形状を有している。
【００１２】
なお、上方、下方、鉛直、水平等、方向に関する記載がなされたときは、分離ユニット１が、ハウジング本体１０を下、ハウジングカバー５０を上にして載置されている状態（図３および図５の状態）での方向を指すものとする。
【００１３】
プラグコンタクト２０は、図３，図４に示すように、四角柱形状を有し、一方の端部が尖端となっている。この尖端側の端部には、突出部２１が設けられている。この突出部２１は、図３に示すように、直方体形状を有し、尖端側にテーパー面が形成されている。
【００１４】
なお、突出部２１は、例えば、プラグコンタクト２０の裏面からの突き出し加工形成等で形成されている。
【００１５】
ハウジング本体１０は、図５に示すように、平面矩形状の箱形で、破断コンタクト４０を収納するための凹所１１と、プラグコンタクト２０を挿入するための挿入溝１２と、分離機構３０を収納するための収納部１３と、ハウジングカバー５０を取り付けるための複数の突起１４と、を有している。凹所１１、挿入溝１２、収納部１３、および、突起１４は、ハウジング本体１０の上面に設けられている。
【００１６】
凹所１１は、破断コンタクト４０を収納可能な平面形状を有し、ハウジング本体１０の長手方向に延在している。また、凹所１１の延在方向の両端部には、大きさの異なる第１，第２開口部１５，１６が、同一直線上に、それぞれ設けられている。第１開口部１５は、ハウジング本体１０の短手方向の両端に突起１４が設けられており、この突起１４の間から、破断コンタクト４０が突出可能に配置されている。第２開口部１６は、挿入溝１２の端部を含むように配置されている。
【００１７】
挿入溝１２は、凹所１１の第２開口部１６側の底面に設けられ、ハウジング本体１０の短手方向の略中央に配置されている。この挿入溝１２は、第２開口部１６からハウジング本体１０の長手方向に沿って延在している。
【００１８】
また、挿入溝１２の短手方向の両側には、案内部１７および孔部１８が設けられている。案内部１７は、凹所１１の第２開口部１６側の端部に配置され、第１開口部１５側から第２開口部１６側に向かって上昇するように傾斜している。また、孔部１８は、案内部１７とハウジング本体１０の第２開口部１６側の側面との間に配置されている。
【００１９】
収納部１３は、分離機構３０を収納可能な平面矩形状を有し、挿入溝１２と第１開口部１５との間に設けられている。この収納部１３は、ハウジング本体１０の短手方向Ｘの長さよりも、ハウジング本体１０の長手方向Ｙの長さの方が短くなるように配置されている。
【００２０】
突起１４は、先端部がテーパー状である略円柱形状を有している。この突起１４は、ハウジング本体１０の第１開口部１５側の端部のほか、ハウジング本体１０の略中央および第２開口部１６側の端部に、それぞれ配置されている。
【００２１】
分離機構３０は、図５，図６に示すように、ガイドブロック３１と、径の異なる２つの環状ばね３４，３５と、を有している。
【００２２】
ガイドブロック３１は、直方体形状で、上部ガイドブロック３１ａと、下部ガイドブロック３１ｂと、で構成されている。上部ガイドブロック３１ａおよび下部ガイドブロック３１ｂは、上部ガイドブロック３１ａの各隅部に突設された嵌合突部３６を、下部ガイドブロック３１ｂの各隅部に設けられた嵌合孔３７に嵌合することによって、結合されている。
【００２３】
また、上部ガイドブロック３１ａおよび下部ガイドブロック３１ｂには、各々の対向面に、破断コンタクト案内部３８，３９が設けられている。この破断コンタクト案内部３８，３９は、上部ガイドブロック３１ａおよび下部ガイドブロック３１ｂを結合したときに、破断コンタクト４０を挿入可能なガイド溝３２を形成する。このガイド溝３２は、ガイドブロック３１の一面のみに開口し、破断コンタクト４０の挿入方向に沿って、上方に湾曲している。
【００２４】
環状ばね３４，３５のうち、径の大きい環状ばね３５は、ハウジング本体１０の収納部１３に収納可能な大きさを有している。また、径の小さい環状ばね３４は、径の大きい環状ばね３５の中央の開口部分に配置可能な大きさを有している。すなわち、環状ばね３４、３５は、径の小さい環状ばね３４の外径が、径の大きい環状ばね３５の内径よりも小さくなるように形成され、同心円状に配置される。
【００２５】
破断コンタクト４０は、図５，図６に示すように、本体部４１と、本体部４１に連結された端子部４２と、を有している。本体部４１と端子部４２とは、一体形成されている。
【００２６】
本体部４１は、ハウジング本体１０の凹所１１に収納したときに、凹所１１の延在方向にスライド移動可能な平板形状を有し、長手方向の一端部側に嵌合溝４３が設けられている。この嵌合溝４３は、プラグコンタクト２０の突出部２１に嵌合可能かつスライド移動可能な平面形状を有している。
【００２７】
端子部４２は、本体部４１の長手方向の他端部に連結され、この他端部の両端から、本体部４１の長手方向に沿って、平行に延在している。この端子部４２は、本体部４１側に設けられた環状部４４と、この環状部４４から本体部４１の長手方向に沿って延在する端子４５と、で構成されている。環状部４４は、中央の開口部分がハウジング本体１０の第１開口部１５に配置された突起１４に嵌合可能に形成されている。なお、各端子部４２は、各々独立しており、相互に接触しないように配置されている。
【００２８】
また、本体部４１における端子部４２との接触部分には、分離部の一例としての破断部４６が設けられている。この破断部４６は、本体部４１と端子部４２とを引き離す方向に所定の力が加わった場合に破断して、本体部４１と端子部４２とを分離できるようになっている。破断部４６を破断させるための破断力は、分離ユニット１の設計に応じて、適宜変更できる。
【００２９】
ハウジングカバー５０は、図５，図６に示すように、ハウジング本体１０の上面を覆うことができる平面形状を有している。このハウジングカバー５０には、ハウジング本体１０に取り付けるための取付孔５１と、コンタクト移動補助部５２と、が設けられている。
【００３０】
取付孔５１は、平面円形状で、ハウジング本体１０の突起１４が挿入可能な大きさで形成されている。
【００３１】
コンタクト移動補助部５２は、ハウジングカバー５０の下面側に、ハウジング本体１０の凹所１１に嵌め込み可能な形状を有し、分離ユニット１を組み立てたときに、破断コンタクト４０に対向するように配置されている。このコンタクト移動補助部５２は、平板部５３と、第１，第２逃部形成部５４，５５と、壁部５６と、で構成されている。
【００３２】
平板部５３は、ハウジングカバー５０をハウジング本体１０に取り付けたときに、ハウジング本体１０の収納部１３に対応する位置に配置可能に設けられている。
【００３３】
第１逃部形成部５４は、平板部５３に繋がっている隆起部５４ａと、隆起部５４ａから第２逃部形成部５５に向かって傾斜している傾斜部５４ｂと、隆起部５４ａおよび傾斜部５４ｂの短手方向の略中央に設けられた溝部５４ｃと、で構成されている。また、第２逃部形成部５５は、第１逃部形成部５４の傾斜部５４ｂに繋がっている隆起部５５ａと、隆起部５５ａから壁部５６に向かって傾斜し、壁部５６に繋がっている傾斜部５５ｂと、隆起部５５ａおよび傾斜部５５ｂの短手方向の略中央に設けられた溝部５５ｃと、で構成されている。
【００３４】
第１逃部形成部５４の隆起部５４ａおよび第２逃部形成部５５の隆起部５５ａは、分離ユニット１を組み立てた状態において、破断コンタクト４０の本体部４１との間に僅かに隙間が形成されるように、ハウジングカバー５０の下面から隆起している。
【００３５】
また、第１逃部形成部５４の傾斜部５４ｂと第２逃部形成部５５の隆起部５５ａとで、第１逃部５７を形成している。第１逃部５７は、分離ユニット１を組み立てた初期状態において、破断コンタクト４０の本体部４１の嵌合溝４３側の端部と相互に対向する位置関係を有している。また、第２逃部形成部５５の傾斜部５５ｂと壁部５６とで、第２逃部５８を形成している。
【００３６】
壁部５６は、ハウジングカバー５０をハウジング本体１０に取り付けたときに、ハウジング本体１０の孔部１８に挿入可能に設けられている。
【００３７】
［組立方法］
次に、前記構成の分離ユニット１の組立方法を説明する。
【００３８】
まず、ハウジング本体１０の上面から、収納部１３に分離機構３０を収納する。具体的には、最初に、径の大きい環状ばね３５の中央の開口部分に径の小さい環状ばね３４が位置するように、環状ばね３４，３５を収納部１３に収納する。次に、予め、上部ガイドブロック３１ａおよび下部ガイドブロック３１ｂを分離しないように組み立てておいたガイドブロック３１を収納部１３の環状ばね３４，３５の上に収納する。このとき、ガイドブロック３１は、下部ガイドブロック３１ｂが環状ばね３４，３５と接し、かつ、破断コンタクト案内部３８，３９間のガイド溝３２が第２開口部１６側に開口する状態で、収納部１３に収納される。
【００３９】
続いて、破断コンタクト４０をハウジング本体１０の凹所１１に位置決めする。まず、分離機構３０を収納部１３内に押し込んで、ガイドブロック３１が破断コンタクト４０の本体部４１を付勢するように環状ばね３４，３５を圧縮する。そして、第１開口部１５に配置された突起１４の各々に、端子部４２の環状部４４の開口部分のそれぞれが嵌め込まれるように、破断コンタクト４０を配置する。
【００４０】
破断コンタクト４０を凹所１１に収納した後、ハウジングカバー５０をハウジング本体１０に取り付けて、組立作業を完了する。組み立てられた分離ユニット１は、品質確認の後、冷間カシメ等によって、コンタクトに組み込む。
【００４１】
［分離ユニットの動作］
次に、ハウジング本体１０にプラグコンタクト２０を挿入し、引き抜き、さらに再挿入したときの分離ユニット１の動作を、図７〜図１３に従って説明する。なお、図８，図１０〜図１３では、説明の便宜のため、ハウジングカバー５０をハウジング本体１０から取り外している。
【００４２】
まず、図７ないし図９を用いて、ハウジング本体１０へのプラグコンタクト２０の初回挿入時の動作を説明する。
【００４３】
図７に示すように、ハウジング本体１０の第２開口部１６から矢印Ａ１方向に沿って、プラグコンタクト２０の尖端をハウジング本体１０内に挿入する。挿入されたプラグコンタクト２０は、図８，図９に示すように、挿入溝１２に沿って進み、プラグコンタクト２０の尖端と挿入溝１２とが接触した状態（所謂、どん付き状態）まで挿入される。
【００４４】
プラグコンタクト２０の挿入途中において、プラグコンタクト２０の突出部２１が、破断コンタクト４０の本体部４１の嵌合溝４３に嵌合される。このとき、プラグコンタクト２０を矢印Ａ１方向に挿入するにつれて、本体部４１の嵌合溝４３側の端部が、プラグコンタクト２０の突出部２１のテーパー面によって、ハウジングカバー５０側に次第に押し上げられ、弾性変形する。その結果、本体部４１の嵌合溝４３側の端部が、ハウジングカバー５０のコンタクト移動補助部５２の第１逃部５７に入り込み、突出部２１が嵌合溝４３側の端部に接触してから、嵌合溝４３に嵌合されるまで、プラグコンタクト２０を移動させ易くなる。すなわち、プラグコンタクト２０をハウジング本体１０に挿入する際、第１逃部５７に本体部４１の嵌合溝４３側の端部が弾性変形して受け入れられるので、ハウジング本体１０内にプラグコンタクト２０をスムーズに挿入できる。
【００４５】
続いて、図１０および図１１を用いて、ハウジング本体１０に挿入したプラグコンタクト２０を引き抜くときの動作を説明する。
【００４６】
図１０に示すように、プラグコンタクト２０を矢印Ａ２方向に引き抜くと、突出部２１のテーパー面に対向する垂直面が嵌合溝４３に引っかかり、破断コンタクト４０の本体部４１が第２開口部１６の方向に引っ張られる。このため、端子部４２はハウジング本体１０に固定されているため、破断部４６に、本体部４１と端子部４２とを引き離す方向の力が加えられる。そして、本体部４１と端子部４２との間に加えられる力が所定の値を超えたとき、破断部４６が破断し、本体部４１と端子部４２とが分離する。
【００４７】
さらに、プラグコンタクト２０を矢印Ａ２方向に引き抜くと、分離された本体部４１が、プラグコンタクト２０と共に、第２開口部１６に向かって移動し、プラグコンタクト２０がハウジング本体１０内から引き抜かれる。
【００４８】
このとき、図１１に示すように、環状ばね３４，３５の付勢力により、本体部４１の移動により形成される本体部４１と端子部４２との間の空間に、ガイドブロック３１が持ち上げられ、破断コンタクト案内部３８，３９間のガイド溝３２が、破断コンタクト４０の本体部４１の位置まで上昇する。
【００４９】
また、プラグコンタクト２０を矢印Ａ２方向に引き抜くにつれて、本体部４１の嵌合溝４３側の端部が、案内部１７の傾斜面によって、ハウジングカバー５０側に次第に押し上げられ、本体部４１の嵌合溝４３側の端部が弾性変形し、ハウジングカバー５０の第２逃部５８に入り込む。これにより、突出部２１と嵌合溝４３との嵌合を外し易くなる。すなわち、挿入したプラグコンタクト２０をハウジング本体１０から引き抜く際、第２逃部５８に弾性変形した本体部４１の嵌合溝４３側の端部が受け入れられるので、挿入したプラグコンタクト２０をハウジング本体１０からスムーズに分離できる。
【００５０】
次いで、図１２および図１３を用いて、ハウジング本体１０へのプラグコンタクト２０の再挿入時の動作を説明する。
【００５１】
ハウジング本体１０の第２開口部１６から矢印Ａ１方向に沿って、プラグコンタクト２０の尖端側の端部をハウジング本体１０内に再び挿入すると、プラグコンタクト２０の突出部２１が破断コンタクト４０の本体部４１の嵌合溝４３に嵌合される。そして、プラグコンタクト２０を矢印Ａ１方向に挿入していくと、嵌合溝４３の端子部４２側の端部が突出部２１により押圧され、本体部４１が第１開口部１５に向かって移動を開始する。
【００５２】
プラグコンタクト２０を再度ハウジング本体１０に挿入するとき、図１１に示すように、分離された本体部４１は、第２開口部１６側に移動したままである。すなわち、本体部４１の嵌合溝４３側の端部は、案内部１７によって、ハウジングカバー５０側に押し上げられ、弾性変形したままであるため、プラグコンタクト２０の突出部２１を破断コンタクト４０の嵌合溝４３に嵌合し易くなっている。このため、ハウジング本体１０内へのプラグコンタクト２０の再度の挿入をスムーズに行うことができる。
【００５３】
プラグコンタクト２０をさらに矢印Ａ１方向に挿入していくと、破断コンタクト４０の本体部４１の端子部４２側の端部が、ガイドブロック３１の破断コンタクト案内部３８，３９間のガイド溝３２に挿入される。このため、ハウジング本体１０に挿入されていたプラグコンタクト２０をハウジング本体１０から分離した後、プラグコンタクト２０をハウジング本体１０に再挿入する場合に、本体部４１がガイドブロック３１に妨げられることなく移動でき、プラグコンタクト２０をハウジング本体１０に挿入できる。
【００５４】
そして、プラグコンタクト２０の尖端が挿入溝１２に接触したどん付き状態までプラグコンタクト２０が挿入されると、図１２，図１３に示すように、ガイド溝３２の湾曲形状に沿って、破断コンタクト４０の本体部４１が弾性変形する。このとき、ガイド溝３２の延在方向の断面形状が湾曲しているので、本体部４１のガイド溝３２への移動がスムーズになる。これにより、ハウジング本体１０に挿入されていたプラグコンタクト２０をハウジング本体１０から引き抜いた後、プラグコンタクト２０をハウジング本体１０に再挿入する場合に、プラグコンタクト２０をハウジング本体１０にスムーズに挿入できる。また、ガイド溝３２の湾曲形状に沿って、本体部４１を端子部と異なる高さに案内できるので、プラグコンタクト２０と分離ユニット１との接触を完全に防止できる。
【００５５】
このように、前記分離ユニット１では、ハウジング本体１０に挿入されていたプラグコンタクト２０をハウジング本体１０から引き抜いた場合に、破断コンタクト４０が、破断部４６において、本体部４１と端子部４２とに分離されるので、本体部４１と端子部４２とが接触することがない。このため、一旦挿入したプラグコンタクト２０がハウジング本体１０から引き抜かれた場合、プラグコンタクト２０をハウジング本体１０に再挿入したとしても、もはや本体部４１と端子部４２とが接触することがなく、コネクタを接続不能にすることができる。
【００５６】
また、ハウジングカバー５０に、第１，第２逃部５７，５８を設けているので、ハウジング本体１０にプラグコンタクト２０をスムーズに挿入でき、また、ハウジング本体１０に挿入されたプラグコンタクト２０をスムーズに引き抜くことができる。
【００５７】
さらに、本体部４１と、ハウジングカバー５０の第１逃部形成部５４の隆起部５４ａおよび第２逃部形成部５５の隆起部５５ａとの間には、僅かな隙間が形成されている。このため、プラグコンタクト２０を挿入あるいは引き抜くとき、本体部４１の不必要な動きを抑制して、本体部４１を凹所１１に沿ってスムーズに移動させることができる。これにより、プラグコンタクト２０のスムーズな挿入あるいは引き抜きを担保している。
【００５８】
なお、プラグコンタクト２０がハウジング本体１０内に初めて挿入され、未だ引き抜かれていない状態では、各端子部４２は、本体部４１を介して接触している。一方、初めてハウジング本体１０内に挿入されたプラグコンタクト２０が引き抜かれた後の状態では、各端子部４２は、本体部４１と分離され、相互に接触していない。このため、各端子部４２間の導通状態を調べることで、初めてハウジング本体１０内に挿入されたプラグコンタクト２０が引き抜かれたか否かを検知できる。
【００５９】
前記コネクタは、一旦ハウジング本体１０に挿入されたプラグコンタクト２０を引き抜くことで、コネクタを接続不能にすることができるが、プラグコンタクト２０をハウジング本体１０にスムーズに再挿入できるので、コネクタが接続不能であることが検知され難い。このため、前記分離ユニット１を備えるコネクタを不正防止用コネクタとして用いた場合、分離ユニット１の存在が不正者に検知され難くなり、不正防止用コネクタとしての寿命を延ばすことができる。
【００６０】
（第２実施形態）
本発明の第２実施形態のコネクタは、図１４〜図１９に示すように、第１実施形態の分離ユニット１とは異なる分離ユニット１０１を備えている。
【００６１】
第２実施形態のコネクタの分離ユニット１０１は、プラグコンタクト２０が挿入されるハウジング本体１１０と、ハウジング本体１１０内に収納された破断コンタクト１４０と、ハウジング本体１１０を覆うハウジングカバー１５０と、を備えている。ハウジング本体１１０とハウジングカバー１５０とでハウジングを構成している。また、破断コンタクト１４０は、コンタクト部の一例である。なお、第１実施形態と同一部分については、同一参照番号を付して説明を省略し、第１実施形態と異なる点について説明する。
【００６２】
［構成］
ハウジング本体１１０は、図１６に示すように、平面矩形の箱形状で、破断コンタクト１４０を収納するための凹所１１１と、ハウジングカバー１５０を取り付けるための複数の突起１４と、を有している。
【００６３】
凹所１１１は、破断コンタクト１４０がハウジング本体１１０の長手方向にスライド移動できるように形成されている。また、凹所１１１には、変形突起の一例の円柱体１１２が２つ設けられ、破断コンタクト１４０の両側に配置するようになっている。
【００６４】
破断コンタクト１４０は、図１６に示すように、嵌合溝４３を有する本体部１４１と、２つの端子部１４２と、を有している。本体部１４１と端子部１４２とは、一体形成されている。
【００６５】
本体部１４１は、本体部１４１と端子部１４２とを連結させるための腕部１４４を有している。この本体部１４１は、分離ユニット１０１を組み立てたときに、端子部１４２側に移動できないように位置決めされている。
【００６６】
腕部１４４は、自由端の外向面に接合部１４５を有している。また、この接合部１４５と端子部１４２との接触部分に破断部４６を形成している。この破断部４６を介して、本体部１４１と端子部１４２とが接触している。
【００６７】
また、腕部１４４は、本体部１４１の長手方向の一端部に設けられ、接合部１４５と端子部１４２と接点間の直線距離が、円柱体１１２間の直線距離よりも大きくなるように、配置されている。なお、腕部１４４は、各々独立しており、相互に接触しないように配置されている。
【００６８】
端子部１４２は、ハウジング本体１１０のプラグコンタクト２０の挿入側に対向する側の端部に設けられている。端子部１４２の一端部は、ハウジング本体１１０に固定されている一方、他端部は、ハウジング本体１１０から突出するように、平行に配置されている。なお、各端子部１４２は、各々独立しており、相互に接触しないように配置されている。
【００６９】
ハウジングカバー１５０は、図１４に示すように、ハウジング本体１１０を覆うことができる平面形状を有している。このハウジングカバー１５０には、ハウジング本体１１０に取り付けるための取付孔５１と、プラグコンタクト２０を挿入するための挿入開口１５１と、が設けられている。
【００７０】
［分離ユニットの動作］
次に、ハウジング本体１１０にプラグコンタクト２０を挿入し、引き抜き、さらに再挿入したときの分離ユニット１０１の動作を、図１６〜図１９に従って説明する。なお、図１６〜図１９では、説明の便宜のため、プラグコンタクト２０を破線で示し、ハウジングカバー１５０をハウジング本体１１０から取り外している。
【００７１】
図１６，図１７に示すように、矢印Ａ３に沿って、プラグコンタクト２０の尖端をハウジング本体１１０内に挿入する。挿入されたプラグコンタクト２０は、突出部２１が破断コンタクト１４０の本体部１４１の嵌合溝４３に嵌合され、スライド移動できなくなる状態まで、挿入される。
【００７２】
次に、図１８に示すように、プラグコンタクト２０を矢印Ａ４方向に引き抜くと、突出部２１の垂直面が嵌合溝４３に引っかかり、本体部１４１が引っ張られる。これにより、本体部１４１がプラグコンタクト２０挿入側に移動して、破断部４６において本体部１４１と端子部１４２とが分離する。このとき、本体部１４１の移動に伴って、腕部１４４が円柱体１１２の間を通過する。円柱体１１２間の直線距離は、接合部１４５と端子部１４２と接点間の直線距離よりも小さいため、腕部１４４が、円柱体１１２によって、矢印Ａ５側に押し込まれ、塑性変形を起こす。
【００７３】
このため、図１９に示すように、ハウジング本体１１０内にプラグコンタクト２０を再び挿入しても、腕部１４４の接合部１４５と端子部１４２とが接触することがない。よって、再度のプラグコンタクト２０の挿入の際、破断コンタクト１４０の本体部１４１と端子部１４２との接触を確実に防止して、コネクタを接続不能にすることができる。
【００７４】
（第３実施形態）
本発明の第３実施形態のコネクタは、図２０〜図２５に示すように、第１実施形態の分離ユニット１とは異なる分離ユニット２０１を備えている。
【００７５】
第３実施形態のコネクタの分離ユニット２０１は、プラグコンタクト２０が挿入されるハウジング本体２１０と、ハウジング本体２１０内に収納された破断コンタクト２４０と、ハウジング本体２１０を覆うハウジングカバー２５０と、を備えている。ハウジング本体２１０とハウジングカバー２５０とでハウジングを構成している。また、破断コンタクト２４０は、コンタクト部の一例である。なお、第１実施形態と同一部分については、同一参照番号を付して説明を省略し、第１実施形態と異なる点について説明する。
【００７６】
［構成］
ハウジング本体２１０は、図２２に示すように、平面矩形の箱形状で、破断コンタクト２４０を収納するための凹所２１１と、ハウジングカバー２５０を取り付けるための複数の突起１４と、を有している。
【００７７】
凹所２１１は、破断コンタクト２４０がハウジング本体２１０の長手方向にスライド移動できるように形成されている。凹所２１１には、連通する開口部２１２が設けられており、この開口部２１２の一辺から、ハウジング本体２１０の長手方向に沿って延在し、かつ、無負荷状態（自然状態）で傾斜しているバネ部２１３が設けられている。このバネ部２１３は、分離ユニット２０１を組み立てたときに、破断コンタクト２４０によって圧縮され、破断コンタクト２４０をハウジングカバー２５０に圧接するようにしている。
【００７８】
破断コンタクト２４０は、図２２に示すように、嵌合溝４３を有する本体部２４１と、２つの端子部２４２と、を有している。本体部２４１と端子部２４２とは、一体形成されている。
【００７９】
本体部２４１は、本体部２４１と端子部２４２とを連結させるための２つの腕部２４４を有している。この本体部２４１は、分離ユニット２０１を組み立てたときに、端子部２４２側に移動できないように位置決めされている。
【００８０】
腕部２４４は、本体部２４１の長手方向の一端部に設けられ、この一端部から端子部２４２まで、バネ部２１３に沿って、平行に延在している。腕部２４４と端子部２４２との間には破断部４６が設けられている。なお、腕部２４４は、各々独立しており、相互に接触しないように配置されている。
【００８１】
端子部２４２は、ハウジング本体２１０のプラグコンタクト２０の挿入側に対向する側の端部に設けられている。端子部２４２の一端部は、ハウジング本体２１０に固定されている一方、他端部は、ハウジング本体２１０から平行に突出している。なお、各端子部２４２は、各々独立しており、相互に接触しないように配置されている。
【００８２】
ハウジングカバー２５０は、図２１に示すように、ハウジング本体２１０を覆うことができる平面形状を有している。このハウジングカバー２５０には、ハウジング本体２１０に取り付けるための取付孔５１と、プラグコンタクト２０を挿入するための挿入開口２５１と、が設けられている。
【００８３】
［分離ユニットの動作］
次に、ハウジング本体２１０内にプラグコンタクト２０を挿入し、引き抜き、さらに再挿入したときの分離ユニット２０１の動作を、図２２〜図２５に従って説明する。なお、図２２〜図２５では、説明の便宜のため、プラグコンタクト２０を破線で示し、ハウジングカバー２５０をハウジング本体２１０から取り外している。
【００８４】
図２２に示すように、矢印Ａ６に沿って、プラグコンタクト２０の尖端をハウジング本体２１０内に挿入する。挿入されたプラグコンタクト２０は、突出部２１が破断コンタクト２４０の本体部２４１の嵌合溝４３に嵌合され、スライド移動できなくなる状態まで、挿入される。
【００８５】
次に、図２３に示すように、プラグコンタクト２０を矢印Ａ７方向に引き抜くと、突出部２１の垂直面が嵌合溝４３に引っかかり、本体部２４１が引っ張られる。端子部２４２はハウジング本体２１０に固定されているため、破断部４６に、本体部２４１と端子部２４２とを引き離す方向の力が加えられる。そして、本体部２４１と端子部２４２との間に加えられる力が所定の値を超えたとき、破断部４６が破断し、本体部２４１と端子部２４２とが分離する。
【００８６】
本体部２４１と端子部２４２とが分離されたとき、図２４に示すように、破断コンタクト２４０によってバネ部２１３に加えられていた圧縮力が解放され、バネ部２１３が矢印Ａ８方向に持ち上がる。
【００８７】
このため、図２５に示すように、ハウジング本体２１０内にプラグコンタクト２０を再び挿入しても、本体部２４１の腕部２４４と端子部２４２とが接触することがない。よって、再度のプラグコンタクト２０の挿入の際、破断コンタクト２４０の本体部２４１と端子部２４２との接触を確実に防止して、コネクタを接続不能にすることができる。
【００８８】
（第４実施形態）
本発明の第４実施形態のコネクタは、図２６〜図３２に示すように、第１実施形態の分離ユニット１とは異なる分離ユニット３０１を備えている。
【００８９】
第４実施形態のコネクタの分離ユニット３０１は、プラグコンタクト２０が挿入されるハウジング本体３１０と、ハウジング本体３１０内に収納された破断コンタクト３４０と、ハウジング本体３１０を覆うハウジングカバー３５０と、を備えている。ハウジング本体３１０とハウジングカバー３５０とでハウジングを構成している。また、破断コンタクト３４０は、コンタクト部の一例である。なお、第１実施形態と同一部分については、同一参照番号を付して説明を省略し、第１実施形態と異なる点について説明する。
【００９０】
［構成］
ハウジング本体３１０は、図２８に示すように、平面矩形の箱形状で、破断コンタクト３４０を収納するための凹所３１１と、ハウジングカバー３５０を取り付けるための複数の突起１４と、を有している。
【００９１】
凹所３１１は、破断コンタクト３４０がハウジング本体３１０の長手方向にスライド移動できるように形成されている。また、凹所３１１には、第１，第２受け部３１２，３１３が設けられている。この第１，第２受け部３１２，３１３は、図２９に示すように、略同じ断面形状を有し、直角を成す２つの斜面で構成されている。
【００９２】
破断コンタクト３４０は、図２８に示すように、嵌合溝４３を有する本体部３４１と、２つの端子部３４２と、を有している。本体部３４１と端子部３４２とは、一体形成されている。
【００９３】
本体部３４１は、本体部３４１と端子部３４２とを連結させるための２つの腕部３４４と、本体部３４１のスライド移動を規制するためのストッパ３４５と、を有している。この本体部３４１は、分離ユニット３０１を組み立てたときに、端子部３４２側に移動できないように位置決めされている。
【００９４】
腕部３４４は、本体部３４１の長手方向の一端部に設けられ、この一端部から端子部３４２まで、本体部３４１の長手方向に沿って、平行に延在している。腕部３４４と端子部３４２との間には破断部４６が設けられている。なお、腕部３４４は、各々独立しており、相互に接触しないように配置されている。
【００９５】
ストッパ３４５は、図２８に示すように、先端が第１，第２受け部３１２，３１３の傾斜面と略同じ角度で折り曲げられた形状を有し、腕部３４４の外側にそれぞれ配置されている。なお、ストッパ３４５は、分離ユニット３０１を組み立てたとき、第２受け部３１３に位置している。
【００９６】
端子部３４２は、ハウジング本体３１０のプラグコンタクト２０の挿入側に対向する側の端部に設けられている。端子部３４２の一端部は、ハウジング本体３１０に固定されている一方、他端部は、ハウジング本体３１０から平行に突出している。なお、各端子部３４２は、各々独立しており、相互に接触しないように配置されている。
【００９７】
ハウジングカバー３５０は、ハウジング本体３１０を覆うことができる平面形状を有している。このハウジングカバー３５０には、ハウジング本体３１０に取り付けるための取付孔５１と、プラグコンタクト２０を挿入するための挿入開口３５１と、が設けられている。
【００９８】
［分離ユニットの動作］
次に、ハウジング本体３１０内にプラグコンタクト２０を挿入し、引き抜き、さらに再挿入したときの分離ユニット３０１の動作を、図２８〜図３２に従って説明する。なお、図２８〜図３２では、説明の便宜のため、プラグコンタクト２０を破線で示し、ハウジングカバー３５０をハウジング本体３１０から取り外している。
【００９９】
図２８，図２９に示すように、矢印Ａ９に沿って、プラグコンタクト２０の尖端をハウジング本体３１０内に挿入する。挿入されたプラグコンタクト２０は、突出部２１が破断コンタクト３４０の本体部３４１の嵌合溝４３に嵌合され、スライド移動できなくなる状態まで、挿入される。
【０１００】
次に、図３０に示すように、プラグコンタクト２０を矢印Ａ１０方向に引き抜くと、突出部２１の垂直面が嵌合溝４３に引っかかり、本体部３４１が引っ張られる。端子部３４２はハウジング本体３１０に固定されているため、破断部４６に、本体部３４１と端子部３４２とを引き離す方向の力が加えられる。そして、本体部３４１と端子部３４２との間に加えられる力が所定の値（破断力）を超えたとき、破断部４６が破断し、本体部３４１と端子部３４２とが分離する。
【０１０１】
本体部３４１と端子部３４２とが分離され、プラグコンタクト２０が矢印Ａ１０方向にさらに引っ張られると、図３０，図３１に示すように、ストッパ３４５が第２受け部３１３から第１受け部３１２に移動して、腕部３４４と端子部３４２とが完全に分離される。
【０１０２】
一旦、ストッパ３４５が第２受け部３１３から第１受け部３１２に移動すると、ストッパ３４５の先端面と第１受け部３１２の傾斜面とが平行に接触することから、もはや第２受け部３１３側に移動することができなくなる。このため、図３２に示すように、ハウジング本体３１０内にプラグコンタクト２０を再び挿入しても、本体部３４１が第１受け部３１２よりも端子部３４２側に移動することがなく、本体部３４１の腕部３４４と端子部３４２とが接触することがない。よって、再度のプラグコンタクト２０の挿入の際、破断コンタクト３４０の本体部３４１と端子部３４２との接触を確実に防止して、コネクタを接続不能にすることができる。
【０１０３】
（第５実施形態）
本発明の第５実施形態のコネクタは、図３３〜図４１に示すように、第１実施形態の分離ユニット１とは異なる分離ユニット４０１を備えている。
【０１０４】
第５実施形態のコネクタの分離ユニット４０１は、プラグコンタクト４２０が挿入されるハウジング本体４１０と、ハウジング本体４１０内に収納された判断コンタクト４４０と、ハウジング本体４１０を覆うハウジングカバー４５０と、を備えている。ハウジング本体４１０とハウジングカバー４５０とでハウジングを構成している。また、破断コンタクト４４０は、コンタクト部の一例である。なお、第１実施形態と同一部分については、同一参照番号を付して説明を省略し、第１実施形態と異なる点について説明する。
【０１０５】
［構成］
プラグコンタクト４２０は、第１実施形態のプラグコンタクト２０の尖端の反対側の端部に、コネクタ本体部に固定するための固定用突起４２２を設けたものである。
【０１０６】
ハウジング本体４１０は、図３３〜図３５に示すように、平面矩形の箱形状で、プラグコンタクト４２０を挿入するための挿入溝１２と、破断コンタクト４４０を収納するための凹所４１１と、分離機構４３０を収納するための収納部４１３と、ハウジングカバー４５０を取り付けるための複数の突起１４と、を有している。
【０１０７】
凹所４１１は、図３５に示すように、破断コンタクト４４０を収納可能な平面形状を有し、ハウジング本体４１０の長手方向に延在している。また、凹所４１１の両側面には、各々の側面から突出する突出壁部４１９が設けられている。この突出壁部４１９は、収納部４１３に隣接し、かつ、相互に対向するように配置されている。
【０１０８】
収納部４１３は、図３５，図３７に示すように、挿入溝１２と第１開口１５との間に設けられ、ガイドブロック４３１を収納する第１の収納部４１３ａと、第１の収納部４１３ａの底面略中央に設けられ、環状バネ３４を収納する第２の収納部４１３ｂと、で構成されている。
【０１０９】
分離機構４３０は、図３５，図３７に示すように、ガイドブロック４３１と、環状バネ３４と、を有している。
【０１１０】
ガイドブロック４３１は、直方体形状で、上部ガイドブロック３１ａと、下部ガイドブロック４３１ｂと、で構成されている。下部ガイドブロック４３１ｂは、第１実施形態の下部ガイドブロック３１ｂの底面に、環状バネ３４が当接する環状凹部４３３を設けたものである。環状凹部４３３を設けることで、環状バネ３４の伸縮方向を規制でき、ガイドブロック４３１に対する設計通りの付勢力を得ることができる。
【０１１１】
破断コンタクト４４０は、図３５に示すように、嵌合溝４３を有する本体部４４１と、２つの端子部４２と、を有している。本体部４４１と端子部４２とは、一体形成されている。
【０１１２】
本体部４４１は、端子部４２が連結され、破断部４６が設けられている幅狭部４４１ａと、嵌合溝４３が設けられている幅広部４４１ｂと、で構成されている。幅狭部４４１ａは、ハウジング本体４１０の凹所４１１の突出壁部４１９の間に配置可能な幅寸法を有している。また、幅広部４４１ｂは、幅狭部４４１ａよりも大きく、肩部４４７が突出壁部４１９と接触可能な幅寸法を有している。また、幅狭部４４１ａおよび幅広部４４１ｂには、複数の溝が形成されている。これにより、本体部４４１を軽量化すると共に、弾性変形し易くしている。
【０１１３】
なお、ハウジング本体４１０の凹所４１１の突出壁部４１９と、破断コンタクト４４０の本体部４４１の幅広部４４１ｂとで、位置規制部を構成している。図３５に示すように、分離ユニット４０１を組み立てた初期状態において、本体部４４１は、幅狭部４４１ａが、ハウジング本体４１０の凹所４１１の突出壁部４１９の間に配置され、かつ、幅広部４４１ｂの肩部４４７が、突出壁部４１９に係合した状態で配置される。
【０１１４】
ハウジングカバー４５０は、図３３，図３４に示すように、ハウジング本体４１０の上面を覆うことができる平面形状を有している。このハウジングカバー４５０は、取付孔５１と、コンタクト移動補助部５２（図３７に示す）と、を有している。
【０１１５】
なお、図３７に示すように、分離ユニット４０１を組み立てた初期状態において、本体部４４１の幅広部４４１ｂの自由端と、ハウジングカバー４５０のコンタクト移動補助部５２の第１逃部５７とは、相互に対向する位置関係を有している。また、本体部４４１と、コンタクト移動補助部５２の隆起部５４ａ，５５ａの間に、僅かな隙間を有している。
【０１１６】
図３３，３４に示すように、ハウジング本体４１０およびハウジングカバー４５０の側面には、それぞれ、Ｕ字溝４６１，４６２が設けられている。このＵ字溝４６１，４６２は、ハウジング本体４１０にハウジングカバー４５０を取り付けた状態で一直線に並ぶように、配置されている。
【０１１７】
なお、第５実施形態のコネクタの分離ユニット４０１は、第１実施形態の分離ユニット１と同様の方法で組み立てることができる。
【０１１８】
［分離ユニットの動作］
次に、ハウジング本体４１０にプラグコンタクト４２０を挿入し、引き抜き、さらに再挿入したときの分離ユニット４０１の動作を、図３５〜図４１に従って説明する。なお、図３５，図３６，図３８および図４０では、説明の便宜のため、ハウジングカバー４５０をハウジング本体４１０から取り外している。
【０１１９】
第５実施形態のコネクタの分離ユニット４０１の動作は、第１実施形態の分離ユニット１と基本的に同じであるが、プラグコンタクト４２０をハウジング本体４１０に再挿入する時の動作が異なっている。
【０１２０】
すなわち、図４０に示すように、第５実施形態のコネクタの分離ユニット４０１では、ハウジング本体４１０の凹所４１１の突出壁部４１９と、破断コンタクト４４０の本体部４４１の幅広部４４１ｂとで構成される位置規制部を有しているため、プラグコンタクト４２０の再挿入に伴う本体部４４１の端子部４２側への移動が、本体部４４１の幅広部４４１ｂの肩部４４７と凹所４１１の突出壁部４１９とが係合する位置までに規制される。
【０１２１】
プラグコンタクト４２０をハウジング本体４１０内に再挿入したとき、分離された本体部４４１は、多くの場合、第２開口部１６側に移動したままである。すなわち、本体部４４１の幅広部４４１ｂの自由端部は、弾性変形して第２逃部５８に入り込んだままである。このため、プラグコンタクト４２０の突出部２１が、本体部４４１の嵌合溝４３に嵌合し易く、プラグコンタクト４２０の再度の挿入をスムーズに行うことができる。
【０１２２】
プラグコンタクト４２０の突出部２１を本体部４４１の嵌合溝４３に嵌合させた後、プラグコンタクト４２０をハウジング本体４１０内に挿入していくと、プラグコンタクト４２０の突出部２１によって、嵌合溝４３の幅狭部４４１ａ側の端部が押圧される。これにより、本体部４４１が、プラグコンタクト４２０と共に、第１開口部１５に向かって移動を開始する。プラグコンタクト４２０をハウジング本体４１０内にさらに挿入していくと、幅狭部４４１ａの自由端がガイドブロック４３１のガイド溝３２に挿入され、その後、幅広部４４１ｂの肩部４４７と凹所４１１の突出壁部４１９とが係合する位置まで、本体部４４１が移動する。
【０１２３】
一方、プラグコンタクト４２０をハウジング本体４１０内に再挿入したとき、分離された本体部４４１がハウジング本体４１０の内部に押し戻された場合、本体部４４１の幅広部４４１ｂの自由端部は、弾性変形しておらず、第２逃部５８に入り込んでいない。このため、プラグコンタクト４２０の突出部２１を幅広部４４１ｂの嵌合溝４３に嵌合できない。プラグコンタクト４２０と本体部４４１とは、幅広部４４１ｂの自由端部とプラグコンタクト４２０の突出部２１とが接触した状態で、共に移動を開始する。
【０１２４】
プラグコンタクト４２０をハウジング本体４１０内に挿入していくと、本体部４４１は、幅狭部４４１ａの自由端がガイドブロック４３１のガイド溝３２に挿入された後、幅広部４４１ｂの肩部４４７と凹所４１１の突出壁部４１９とが係合する位置まで移動する。幅広部４４１ｂの肩部４４７と凹所４１１の突出壁部４１９とが係合した状態（初期状態）では、幅広部４４１ｂの自由端部は、ハウジングカバー４５０の第１逃部５７と対向している。このため、さらに、プラグコンタクト４２０をハウジング本体４１０内に挿入していくと、幅広部４４１ｂの自由端部が、プラグコンタクト４２０の突出部２１のテーパー面によって、ハウジングカバー４５０側に次第に押し上げられ、弾性変形する。その結果、幅広部４４１ｂの自由端部がハウジングカバー４５０の第１逃部５７に入り込み、突出部２１が嵌合溝４３に嵌合されるまで、プラグコンタクト４２０を移動させ易くなる。すなわち、プラグコンタクト４２０をハウジング本体４１０内に再挿入したときに、破断コンタクト４４０の本体部４４１が、ハウジング本体４１０の内部に押し戻されて、本体部４４１の幅広部４４１ｂの自由端部が弾性変形していない場合であっても、ハウジング本体４１０内にプラグコンタクト４２０をスムーズに再挿入できる。
【０１２５】
［変形例］
第１，第５実施形態のコネクタでは、分離機構３０のガイドブロック３１に破断コンタクト案内部３８，３９を設けることで、ガイドブロック３１内に破断コンタクト４０を挿入して、プラグコンタクト２０をどん付き状態まで再挿入できるようにしているが、これに限らない。例えば、内部に破断コンタクトが挿入できないようにガイドブロックを形成して、プラグコンタクトをどん付き状態まで再挿入できないようにしてもよい。このように構成することで、破断コンタクトが破断した後、壊れるコネクタ（接続できないコネクタ）を得ることができる。また、ガイドブロックの製造が容易になるので、分離ユニットの製造コストを低減できる。
【０１２６】
第１，第５実施形態のコネクタでは、ガイドブロック３１の案内部３８，３９により形成されるガイド溝３２を、本体部４１の挿入方向に沿って、上方（ハウジングカバー５０側）に湾曲させているが、これに限らず、例えば、下方（ハウジング本体１０側）に湾曲させてもよい。また、ガイド溝３２を本体部４１の挿入方向に沿って湾曲させている場合に限らず、例えば、本体部の挿入方向に沿って直線状に延在させてもよいし、一部を直線状に延在させ残部を湾曲させてもよい。さらに、ガイド溝３２は、ガイドブロック３１，４３１の一面のみに開口している場合に限らず、ガイドブロック３１，４３１を貫通していてもよい。すなわち、ガイド溝は、本体部が挿入された状態で、本体部と端子部との接触を防止できる形状であればよく、任意の形状を採用できる。
【０１２７】
第１，第５実施形態のコネクタにおいて、第２逃部５８は、第１逃部５７と第２開口部１６との間に設けてあればよく、コネクタの設計等に応じて、任意に配置できる。
【０１２８】
第１〜第５実施形態のコネクタにおいて、プラグコンタクト２０，４２０の端部は、尖端に限らず、例えば、Ｒ形状であってもよい。
【０１２９】
第１〜第５実施形態のコネクタにおいて、破断コンタクト４０，１４０，２４０，３４０，４４０は、例えば、電鋳法あるいはプレス加工等で製造できる。
【０１３０】
第１〜第５実施形態のコネクタでは、破断コンタクト４０，１４０，２４０，３４０，４４０の本体部４１，１４１，２４１，３４１，４４１と端子部４２，１４２，２４２，３４２とを一体形成して、分離部として破断部４６を設けているが、これに限らない。分離部において、本体部と端子部とが接触していればよく、それぞれ独立して形成しても構わない。この場合、本体部と端子部とを、分離ユニットを組み立てた初期状態において、相互に接触するように位置決めして、ハウジング本体に取り付ければよい。
【０１３１】
第１〜第５実施形態のコネクタにおいて、破断コンタクト４０，１４０，２４０，３４０，４４０の本体部４１，１４１，２４１，３４１，４４１と端子部４２，１４２，２４２，３４２とが分離する前の状態において、プラグコンタクト２０，４２０と破断コンタクト４０，１４０，２４０，３４０，４４０とを圧接させる弾性部をハウジング本体１０，１１０，２１０，３１０，４１０内に設けてもよい。これにより、プラグコンタクト２０，４２０と破断コンタクト４０，１４０，２４０，３４０，４４０との間の接触信頼性を高めることができる。また、４１，１４１，２４１，３４１，４４１と端子部４２，１４２，２４２，３４２とが分離されたときに、弾性部による圧力が解放されるように構成することで、初めてハウジング本体１０，１１０，２１０，３１０，４１０内に挿入されたプラグコンタクト２０，４２０が引き抜かれた場合に、プラグコンタクト２０，４２０と破断コンタクト４０，１４０，２４０，３４０，４４０との間の接触信頼性が低下する。すなわち、コネクタ間の信号の断線により、初めてハウジング本体１０，１１０，２１０，３１０，４１０内に挿入されたプラグコンタクト２０，４２０が引き抜かれたか否かを検知できる。
【０１３２】
第１〜第５実施形態のコネクタにおいて、破断コンタクト４０，１４０，２４０，３４０，４４０の本体部４１，１４１，２４１，３４１，４４１に設けられている嵌合溝４３は、プラグコンタクト２０，４２０の突出部２１が嵌合可能であればよい。例えば、突出部がスライド移動できるように形成してもよいし、突出部と略同じ大きさに形成して、嵌合した突出部が移動できないようにしてもよい。
【０１３３】
第１〜第５実施形態のコネクタでは、分離ユニット１，１０１，２０１，３０１，４０１が、平面視においてハウジング本体１０，１１０，２１０，３１０，４１０の短手方向の中心を通る直線（例えば第１実施形態では図３の直線Ｌ）に対して対称な形状を有しているが、これに限らない。例えば、直線Ｌに対して非対称な形状であってもよく、コネクタの設計に応じて、任意の形状を採用できる。
【０１３４】
また、第１〜第５実施形態のコネクタでは、分離ユニット１，１０１，２０１，３０１，４０１を１つだけ設けているが、これに限らない。コネクタには、少なくとも１つの分離ユニット１が設けられていればよく、コネクタの設計に応じて、任意の数の分離ユニットを設けることができる。
【０１３５】
なお、コネクタは、基板とケーブルとを接続するものに限らず、可能ならば、基板と基板とを接続するものであってもよいし、ケーブルとケーブルとを接続するものであってもよいし、基板と機器とを接続するものであってもよいし、また、機器と機器とを接続するものであってもよい。前記分離ユニット１は、コネクタの用途および設計等に応じた形状のコネクタに採用できる。
【０１３６】
前記第１〜第５実施形態および変形例で述べた構成要素は、適宜、組み合わせてもよく、また、適宜、選択、置換、あるいは、削除してもよいことは、勿論である。
【０１３７】
本発明および実施形態をまとめると次のようになる。
【０１３８】
本発明に係るコネクタは、雄コンタクト２０が設けられた第１コネクタ部２と、前記雄コンタクト２０が挿入されるハウジング１０，５０と、このハウジング１０，５０内に収納されたコンタクト部４０と、を有する雌コンタクト１が設けられた第２コネクタ部３とを備え、前記コンタクト部４０が、前記雄コンタクト２０が前記ハウジング１０，５０に挿入された場合に、前記雄コンタクト２０と接触する本体部４１と、前記ハウジング１０，５０に固定された端子部４２と、前記本体部４１と前記端子部４２との接触部分に設けられ、前記ハウジング１０，５０に挿入されていた前記雄コンタクト２０を前記ハウジング１０，５０から引き抜いた場合に、前記本体部４１と前記端子部４２とが接触しないように、前記本体部４１と前記端子部４２とを分離する分離部４６とを有していることを特徴としている。
【０１３９】
本発明のコネクタによれば、ハウジング１０，５０に挿入されていた雄コンタクト２０をハウジング１０，５０から引き抜いた場合に、雌コンタクト１のコンタクト部４０が、分離部４６において、本体部４１と端子部４２とに分離される。このため、一旦挿入された雄コンタクト２０がハウジング１０，５０から引き抜かれた場合、再度雄コンタクト２０をハウジング１０，５０に挿入したとしても、もはや本体部４１と端子部４２とが接触することがなく、コネクタを接続不能にすることができる。
【０１４０】
本発明の一実施形態によれば、前記雌コンタクト１が、前記コンタクト部４０の本体部４１を付勢するように前記ハウジング１０，５０内に収納されたガイドブロック３１を有しており、前記本体部４１が、前記ハウジング１０，５０に挿入されていた前記雄コンタクト２０を前記ハウジング１０，５０から引き抜いた場合に、前記雄コンタクト２０と共に移動するよう構成され、前記ガイドブロック３１が、前記本体部４１の移動により形成された前記本体部４１と前記端子部４２との間の空間に、移動可能に配置されている構成としてもよい。
【０１４１】
この実施形態によれば、ガイドブロック３１により本体部４１と端子部４２とを確実に分離できる。これにより、確実にコネクタを接続不能にすることができる。
【０１４２】
本発明の一実施形態によれば、前記ガイドブロック３１が、前記本体部４１を挿入可能なガイド溝３２を有しており、前記ガイド溝３２が、前記ハウジング１０に挿入されていた前記雄コンタクト２０を前記ハウジング１０，５０から引き抜いた後、前記雄コンタクト２０を前記ハウジング１０に再挿入する場合に、前記雄コンタクト２０と共に移動した前記本体部４１が挿入されるように、配置されている構成としてもよい。
【０１４３】
この実施形態によれば、ハウジング１０，５０に挿入されていた雄コンタクト２０をハウジング１０，５０から分引き抜いた後、雄コンタクト２０をハウジング１０，５０に再挿入する場合に、本体部４１がガイドブロック３１のガイド溝３２に挿入される。これにより、本体部４１がガイドブロック３１に妨げられることなく移動でき、雄コンタクト２０をハウジング１０，５０に挿入できる。
【０１４４】
本発明の一実施形態によれば、前記ガイド溝３２が、前記本体部４１の挿入方向に沿って湾曲している構成としてもよい。
【０１４５】
この実施形態によれば、本体部４１のガイド溝３２への移動をスムーズにできるので、ハウジング１０，５０に挿入されていた雄コンタクト２０をハウジング１０，５０から引き抜いた後、雄コンタクト２０をハウジング１０，５０に再挿入する場合に、雄コンタクト２０をハウジング１０，５０にスムーズに挿入できる。また、本体部４１を端子部４２と異なる高さに案内できるので、本体部４１と端子部４２との接触を確実に防ぐことができる。
【０１４６】
本発明の一実施形態によれば、前記雄コンタクト２０が、突出部２１を有し、前記本体部４１が、前記突出部２１に嵌合可能な嵌合溝４３を有しており、前記雄コンタクト２０が前記ハウジング１０，５０に挿入されるときに、前記突出部２１と前記嵌合溝４３とが嵌合され、前記本体部４１の移動が、前記突出部２１と前記嵌合溝４３との嵌合によって行われる構成としてもよい。
【０１４７】
この実施形態によれば、ハウジング１０，５０に挿入されていた雄コンタクト２０をハウジング１０，５０から引き抜いた場合に、雄コンタクト２０と共に本体部４１を確実に移動させることができる。これにより、ガイドブロック３１を、本体部４１の移動により形成された本体部４１と端子部４２との間の空間に確実に移動させて、本体部４１と端子部４２とを確実に分離できる。
【０１４８】
本発明の一実施形態によれば、前記ハウジング１０，５０が、前記突出部２１を前記嵌合溝４３に嵌合するまでの間に、前記突出部２１の形状に応じて弾性変形した前記本体部４１を受け入れる第１逃部５７を有している構成としてもよい。
【０１４９】
この実施形態によれば、雄コンタクト２０をスムーズにハウジング１０，５０に挿入できる。
【０１５０】
本発明の一実施形態によれば、前記ハウジング１０，５０が、挿入されていた前記雄コンタクト２０が引き抜かれ、前記本体部４１が前記雄コンタクト２０と共に移動する場合に、前記突出部２１と前記嵌合溝４３との嵌合を外す方向に前記本体部４１を弾性変形させる案内部１７と、前記案内部１７によって弾性変形した前記本体部４１を受け入れる第２逃部５８とを有している構成としてもよい。
【０１５１】
この実施形態によれば、挿入されている雄コンタクト２０をスムーズにハウジング１０，５０から引き抜くことができる。
【０１５２】
本発明の一実施形態によれば、前記ハウジング４１０，４５０に挿入されていた前記雄コンタクト４２０を前記ハウジング４１０，４５０から引き抜いた後、前記雄コンタクト４２０を前記ハウジング４１０，４５０に再挿入した場合に、前記本体部４４１と前記端子部４２とが分離される前の初期位置よりも前記端子部４２側への前記本体部４４１の移動を規制する位置規制部４１９，４４１ｂを備える構成としてもよい。
【０１５３】
この実施形態によれば、ハウジング４１０，４５０に挿入されていた雄コンタクト４２０をハウジング４１０，４５０から引き抜いた後、雄コンタクト４２０をハウジング４１０，４５０に再挿入した場合、本体部４４１は、本体部４４１と端子部４２とが分離される前の初期位置まで移動が規制される。このため、雄コンタクト４２０をハウジング４１０，４５０から引き抜いたときに、本体部４４１が第２逃部５８に受け入れられたままである場合は、第２逃部５８で突出部２１を嵌合溝４３に嵌合できる。また、本体部４４１がハウジング４１０，４５０内部に押し戻されていた場合は、第１逃部５７で突出部２１を嵌合溝４３に嵌合できる。その結果、雄コンタクト４２０をスムーズにハウジング４１０，４５０に再挿入できる。
【０１５４】
本発明の一実施形態によれば、前記ハウジング１１０，１５０に挿入されていた前記雄コンタクト２０を前記ハウジング１１０，１５０から引き抜いた場合に、前記本体部１４１と前記端子部１４２とが接触しないように、前記端子部１４２を塑性変形させる変形突起１１２を前記ハウジング１１０，１５０に設ける構成としてもよい。
【０１５５】
この実施形態によれば、端子部１４２を塑性変形させて、本体部１４１と端子部１４２とが接触しないように、本体部１４１と端子部１４２とを分離できる。このため、コンタクトの設計の自由度が広がる。
【産業上の利用可能性】
【０１５６】
本発明に係るコネクタは、例えば、パチンコ台あるいはスロットマシンの不正防止用のコネクタとして用いることができる。
【符号の説明】
【０１５７】
１，１０１，２０１，３０１，４０１  分離ユニット
２  コネクタ本体部
３  ソケット
４  基板
５  導通部
１０，１１０，２１０，３１０，４１０  ハウジング本体
１１，１１１，２１１，３１１，４１０  凹所
１２  挿入溝
１３，４１３  収納部
１４  突起
１５  第１開口部
１６  第２開口部
１７  案内部
１８  孔部
２０  プラグコンタクト
２１  突出部
３０，４３０  分離機構
３１，４３１  ガイドブロック
３１ａ  上部ガイドブロック
３１ｂ，４３１ｂ  下部ガイドブロック
３２  ガイド溝
３３  環状凹部
３４，３５  環状ばね
３６  嵌合突部
３７  嵌合孔
３８，３９  破断コンタクト案内部
４０，１４０，２４０，３４０，４４０  破断コンタクト
４１，１４１，２４１，３４１，４４１  本体部
４２，１４２，２４２，３４２  端子部
４３  嵌合溝
４４  環状部
４５  端子
４６  破断部
５０，１５０，２５０，３５０，４５０  ハウジングカバー
５１  取付孔
５２  コンタクト移動補助部
５３  平板部
５４  第１逃部形成部
５４ａ  隆起部
５４ｂ  傾斜部
５４ｃ  溝部
５５  第２逃部形成部
５５ａ  隆起部
５５ｂ  傾斜部
５５ｃ  溝部
５６  壁部
５７  第１逃部
５８  第２逃部
１１２  円柱体
１５１，２５１，３５１  挿入開口
２１２  開口部
２１３  バネ部
３１２，３１３  第１，第２受け部
３４５  ストッパ
４１９  突出壁部
４１３ａ  第１の収納部
４１３ｂ  第２の収納部
４２２  固定用突起
４４１ａ  幅狭部
４４１ｂ  幅広部
４４７  肩部
４６１，４６２  Ｕ字溝
【図１】
2016058281.tif 000003
【図２】
2016058281.tif 000004
【図３】
2016058281.tif 000005
【図４】
2016058281.tif 000006
【図５】
2016058281.tif 000007
【図６】
2016058281.tif 000008
【図７】
2016058281.tif 000009
【図８】
2016058281.tif 000010
【図９】
2016058281.tif 000011
【図１０】
2016058281.tif 000012
【図１１】
2016058281.tif 000013
【図１２】
2016058281.tif 000014
【図１３】
2016058281.tif 000015
【図１４】
2016058281.tif 000016
【図１５】
2016058281.tif 000017
【図１６】
2016058281.tif 000018
【図１７】
2016058281.tif 000019
【図１８】
2016058281.tif 000020
【図１９】
2016058281.tif 000021
【図２０】
2016058281.tif 000022
【図２１】
2016058281.tif 000023
【図２２】
2016058281.tif 000024
【図２３】
2016058281.tif 000025
【図２４】
2016058281.tif 000026
【図２５】
2016058281.tif 000027
【図２６】
2016058281.tif 000028
【図２７】
2016058281.tif 000029
【図２８】
2016058281.tif 000030
【図２９】
2016058281.tif 000031
【図３０】
2016058281.tif 000032
【図３１】
2016058281.tif 000033
【図３２】
2016058281.tif 000034
【図３３】
2016058281.tif 000035
【図３４】
2016058281.tif 000036
【図３５】
2016058281.tif 000037
【図３６】
2016058281.tif 000038
【図３７】
2016058281.tif 000039
【図３８】
2016058281.tif 000040
【図３９】
2016058281.tif 000041
【図４０】
2016058281.tif 000042
【図４１】
2016058281.tif 000043